(57)【要約】【課題】誤動作することがなく、小型化、薄型化を図ることができ、さらには、プッシュ操作の際の好適な操作感を得ることができるスライドプッシュスイッチを実現すること。【解決手段】プッシュ用固定端子１６２を保持するベース部１１３を有するスイッチ本体１３０内には、スウェイスライダ１７０が、ベース部１１３上をＸ方向にスライド移動自在に収容される。スウェイスライダ１７０には、プッシュ部材１４０が、スイッチ本体１３０のスライド用開口部１３２から摘み部１４２を外部に延出させた状態で、Ｙ方向に移動自在に保持される。プッシュ部材１４０の押圧によってドームコンタクト１６４の上面に沿ってスライダ１８０が移動し、変形舌部１８２がドームコンタクト１６４を反転させてプッシュ用固定端子１６２に接触させる。プッシュ部材１４０は、スウェイスライダ１７０のスライド移動後に、仕切壁１１２によってプッシュ方向への移動を規制される。【選択図】図５
2010165526.tif 000002
【特許請求の範囲】
【請求項１】
プッシュ用固定端子部を保持するベース部をカバー部で覆い、一側面にスライド用開口部が形成された板状のスイッチ本体と、
前記スイッチ本体内に、前記一側面に沿って前記ベース部上をスライド移動自在に収容されるスウェイスライダと、
前記スライド用開口部を介して外部に延出された摘み部を有し、前記スウェイスライダに、前記スウェイスライダのスライド方向と直交する方向で、且つ前記一側面と交差するプッシュ方向で移動自在に保持されるプッシュ部材と、
前記プッシュ固定端子部上に配置され、上面側に突出した定常状態から弾性変形によって下面側に反転して前記プッシュ用固定端子部と導通するドーム接点部と、
前記スイッチ本体内に配置され、前記プッシュ方向に移動する前記プッシュ部材に押圧されることによって前記ドーム接点部の上面に沿って移動するスライダと、を備え、
前記スライダは、押圧により移動した際に、弾性変形によって下方に屈曲して、前記ドーム接点部を押圧して反転させる変形舌部を有し、
前記スイッチ本体内には、前記スウェイスライダのスライド移動後に、前記プッシュ部材と隣接する位置に配設され、前記プッシュ部材のプッシュ方向への移動を規制する規制部が設けられているスライドプッシュスイッチ。
【請求項２】
前記カバー部には、前記スライダがプッシュ方向に移動した際に前記変形舌部を下方に変形させる爪部が、前記スライダの移動領域内に突出して設けられている請求項１記載のスライドプッシュスイッチ。
【請求項３】
前記規制部は、前記スライダの移動方向に沿って延在するように配置され、前記スライダの移動を案内する仕切壁部である請求項１記載のスライドプッシュスイッチ。
【請求項４】
前記ベース部は、スライド用固定端子部を更に保持し、
前記スウェイスライダには、当該スウェイスライダのスライド移動に伴い前記スライド用固定端子部に接触または離間するスライド用可動端子部が付設されている請求項１記載のスライドプッシュスイッチ。
【請求項５】
前記スイッチ本体及び前記スウェイスライダのうち一方には、前記スウェイスライダがスライド移動する際に他方に摺動する弾性爪部が設けられ、
前記他方には、前記スウェイスライダのスライド移動前の位置とスライド移動後の位置で、前記弾性爪部が係合する係合凹部が設けられている請求項１記載のスライドプッシュスイッチ。
【発明の詳細な説明】
【技術分野】
【０００１】
本発明は、スライドプッシュスイッチに関するものであり、特に、一つの摘みを初期位置からスライド操作したり、プッシュ操作したりすることによって、スライドスイッチとしても、プッシュスイッチとしても使用できるスライドプッシュスイッチに関するものである。
【背景技術】
【０００２】
従来から、一つの摘みの操作によってスライドスイッチとしても、プッシュスイッチとしても機能するスライドプッシュスイッチが知られている。
【０００３】
この種のスライドプッシュスイッチとしては、例えば、特許文献１に示すスライドプッシュスイッチがある。このスライドプッシュスイッチは、ケースと、所定の初期位置からスライド操作とプッシュ操作とが可能にケースに保持された操作部材と、操作部材のスライド操作に連動するスライド操作用スイッチ素子と、操作部材のプッシュ操作に連動するプッシュ操作用スイッチ素子とを備えている。
【０００４】
この操作部材の横方向の移動によって、スライド操作用スイッチ素子が連動してスライドスイッチとして機能する。また、初期位置に位置する操作部材を押圧することによって、プッシュ操作用スイッチ素子が連動してプッシュスイッチとして機能する。特許文献１では、スライド操作用スイッチ素子及びプッシュ操作用スイッチ素子はそれぞれ摺動接点方式を使用した構造を採用している。
【先行技術文献】
【特許文献】
【０００５】
【特許文献１】特開２００１−２２９７８１号公報
【発明の概要】
【発明が解決しようとする課題】
【０００６】
ところで、スライドプッシュスイッチでは、搭載される電子機器の小型化に伴いスライドプッシュスイッチ自体の小型化が望まれるとともに、一方のスイッチ操作中に他方のスイッチ操作される誤動作の防止が望まれている。
【０００７】
加えて、この種のスイッチでは、スライド操作及びプッシュ操作の際にユーザに対して直感的にスイッチ状態を認識させるスイッチ操作の操作感の優れたものが望まれている。
【０００８】
特許文献１に示す従来のスライドプッシュスイッチでは、スライド操作用スイッチ素子及びプッシュ操作用スイッチ素子はそれぞれ摺動接点方式を使用した構造を採用しているため、スイッチの操作感、特に、プッシュ操作におけるスイッチ操作の操作感は得難いものとなっている。
【０００９】
本発明はかかる点に鑑みてなされたものであり、スライドスイッチとしての機能とプッシュスイッチとしての機能を有し、誤動作することがなく、小型化、薄型化を図ることができ、さらには、プッシュ操作の際の好適な操作感を得ることができるスライドプッシュスイッチを提供することを目的とする。
【課題を解決するための手段】
【００１０】
本発明のスライドプッシュスイッチは、プッシュ用固定端子部を保持するベース部をカバー部で覆い、一側面にスライド用開口部が形成された板状のスイッチ本体と、前記スイッチ本体内に、前記一側面に沿って前記ベース部上をスライド移動自在に収容されるスウェイスライダと、前記スライド用開口部を介して外部に延出された摘み部を有し、前記スウェイスライダに、前記スウェイスライダのスライド方向と直交する方向で、且つ前記一側面と交差するプッシュ方向で移動自在に保持されるプッシュ部材と、前記プッシュ固定端子部上に配置され、上面側に突出した定常状態から弾性変形によって下面側に反転して前記プッシュ用固定端子部と導通するドーム接点部と、前記スイッチ本体内に配置され、前記プッシュ方向に移動する前記プッシュ部材に押圧されることによって前記ドーム接点部の上面に沿って移動するスライダと、を備え、前記スライダは、押圧により移動した際に、弾性変形によって下方に屈曲して、前記ドーム接点部を押圧して反転させる変形舌部を有し、前記スイッチ本体内には、前記スウェイスライダのスライド移動後に、前記プッシュ部材と隣接する位置に配設され、前記プッシュ部材のプッシュ方向への移動を規制する規制部が設けられている構成を採る。
【発明の効果】
【００１１】
本発明によれば、スライドスイッチとしての機能とプッシュスイッチとしての機能を有し、誤動作することがなく、小型化、薄型化を図ることができプッシュ操作の際の好適な操作感を得ることができる。
【図面の簡単な説明】
【００１２】
【図１】本発明の一実施の形態に係るスライドプッシュスイッチを示す外観斜視図
【図２】同スライドプッシュスイッチの正面図
【図３】同スライドプッシュスイッチの平面図
【図４】図１に示すスライドプッシュスイッチにおいてカバーを外した状態の斜視図
【図５】同スライドプッシュスイッチの要部分解斜視図
【図６】図３のＡ−Ａ線断面図
【図７】図３のＢ−Ｂ線断面図
【図８】本発明の一実施の形態に係るスライドプッシュスイッチにおいてプッシュ操作してプッシュ部材を押圧した状態を示す図
【図９】本発明の一実施の形態に係るスライドプッシュスイッチにおいてスライド操作してプッシュ部材を初期位置から移動させた状態を示す図
【発明を実施するための形態】
【００１３】
以下、本発明の実施の形態について、図面を参照して詳細に説明する。
【００１４】
図１は、本発明の一実施の形態に係るスライドプッシュスイッチ１００を示す外観斜視図であり、図２は、同スライドプッシュスイッチ１００の正面図、図３は、同スライドプッシュスイッチ１００の平面図である。図１〜図３に示すスライドプッシュスイッチ１００では、ハウジング１１０にカバー１２０を被せてなる矩形板状のスイッチ本体１３０の一側面に形成されたスライド用開口部１３２からプッシュ部材１４０の摘み部１４２が突出して配置されている。スライドプッシュスイッチ１００では、摘み部１４２が、スライド方向（幅Ｘ方向）及びプッシュ方向（奥行きＹ方向）に操作されることによって、スライドスイッチ又はプッシュスイッチとして機能する。
【００１５】
図４は、図１に示すスライドプッシュスイッチ１００においてカバー１２０を外した状態の斜視図であり、図５は、本発明の一実施の形態に係るスライドプッシュスイッチ１００の要部分解斜視図である。なお、図４は、同スライドプッシュスイッチ１００においてプッシュ部材１４０を初期位置に位置させた状態を示している。
【００１６】
図４及び図５に示すようにスライドプッシュスイッチ１００は、ベース部１１３にスライド用固定端子１５２とプッシュ用固定端子１６２とが配設されたハウジング１１０と、被覆するハウジング１１０とでスイッチ本体１３０を構成するカバー１２０（図１〜図３参照）と、スライド用可動端子１５４を有するスウェイスライダ１７０と、プッシュ部材１４０と、スライダ１８０と、を有する。スウェイスライダ１７０及びスライダ１８０は、スイッチ本体１３０に収容され、プッシュ部材１４０は、その一端部である摘み部１４２を、スイッチ本体１３０内からスライド用開口部１３２を介してスイッチ本体１３０の外部に延出させている。
【００１７】
図５に示すようにハウジング１１０は、合成樹脂など、絶縁性を有する部材によって、上面側で開口する薄い箱状に形成されている。ハウジング１１０の内部には、仕切壁部１１２によって左右に仕切られた領域１１０ａ、１１０ｂに、それぞれスライド用固定端子１５２と、プッシュ用固定端子１６２とが配置されている。
【００１８】
スライド用固定端子１５２及びプッシュ用固定端子１６２は、ハウジング１１０のベース部１１３に、仕切壁部１１２によって仕切られた領域１１０ａ、１１０ｂ内で露出するように配置されている。
【００１９】
プッシュ用固定端子１６２の上部には、プッシュ用可動端子としてのドーム形可動接触片（ドームコンタクト）１６４が配設される。ドームコンタクト１６４は、表面側に突出した定常状態から弾性変形によって裏面側に反転可能であり、反転した際に、ドームコンタクト１６４の裏面側のプッシュ用固定端子１６２に接触して導通する。
【００２０】
仕切壁部１１２は、スイッチ本体１３０内で、ハウジング１１０のベース部１１３上に、スライド方向と直交する方向に延在するように立設されている。この仕切壁部１１２は、ハウジング１１０の正面壁部１１４と離間して配置されている。この仕切壁部１１２における正面壁側の端面（規制部）１１２ａと正面壁部１１４との間は、スウェイスライダ１７０のスウェイアーム部１７４をスライド自在に収容するアーム収容部１１０ｃとなっている。また、仕切壁部１１２は、スイッチ本体１３０内で、スライダ１８０の移動方向に沿って延在しており、スライダ１８０の移動を案内する。
【００２１】
アーム収容部１１０ｃは、ハウジング１１０上において、仕切壁部１１２を跨いで、スライド用固定端子１５２が配置された領域１１０ａに連続し、プッシュ用固定端子１６２の配置領域１１０ｂの正面側に形成されている。アーム収容部１１０ｃは、仕切壁部１１２と直交する案内壁部１１６によって領域１１０ｂと仕切られている。
【００２２】
また、正面壁部１１４において、アーム収容部１１０ｃを仕切る部位には長手方向に切り欠いてなるスライド用切り欠き部１１４ａが形成されている。このスライド用切り欠き部１１４ａは、カバー１２０の上面部１２１とともにスライド用開口部１３２（図１参照）を構成し、スウェイスライダ１７０のスウェイアーム部１７４に保持されるプッシュ部材１４０の摘み部１４２を外方に突出させている。
【００２３】
アーム収容部１１０ｃに収容されるスウェイアーム部１７４は、スライド用固定端子１５２の配置領域にスライド自在に収容されるスウェイ本体部１７２とともにスウェイスライダ１７０を構成している。
【００２４】
スウェイスライダ１７０は、ここでは絶縁性を有する材料によって形成され、スライド用固定端子１５２が配置された領域を移動するスウェイ本体部１７２と、スウェイ本体部１７２から突出し、正面壁部１１４と仕切壁部１１２との間を、正面壁部１１４（図２参照）に沿って左右方向（図１に示すＸ、−Ｘ方向）に移動するスウェイアーム部１７４と、を有する。
【００２５】
スウェイ本体部１７２は、移動した際に、スライド用固定端子１５２と接触するスライド用可動端子１５４を有する。スウェイ本体部１７２は、領域１１０ａ内に、ハウジング１１０の背面壁部１１８及び正面壁部１１４にガイドされてベース部１１３上を、仕切壁部１１２に当接する位置から仕切壁部１１２から離間する方向にスライド自在に配置されている。
【００２６】
ここでは、スウェイ本体部１７２は、矩形板状の部材において左側辺部の中央部分を切り欠いたコ字状をなし、この切り欠いた部分に、スライド用可動端子１５４が、圧入によって一体的に形成されている。
【００２７】
具体的には、仕切壁部１１２と対向配置される中央枠部１７２ａと、中央枠部１７２ａの両端のそれぞれから中央枠部１７２ａと直交して左側に突出する正面側枠部１７２ｂ及び背面側枠部１７２ｃとによって形成されている。なお、スライド用可動端子１５４は、スウェイ本体部１７２から下方に傾斜するように中央枠部１７２ａに取り付けられ、図５に示すように、スライド用固定端子１５２が配設されたベース部１１３の上面を押圧する状態で領域１１０ａ内に配置される。
【００２８】
正面側枠部１７２ｂは、スウェイ本体部１７２においてスウェイアーム部１７４の延在方向に位置し、ハウジング１１０の正面壁部１１４に沿って摺動する。この正面側枠部１７２ｂの上面には、カバー１２０のストッパ片部（弾性爪部）１２２（図３参照）を係止するストッパ用係止凹部１７５ａ、１７５ｂが形成されている。
【００２９】
スウェイアーム部１７４は、中央部枠部１７２ａと正面側枠部１７２ｂとの角部から、正面側壁部１７２ｂの延在方向に沿って突出し、仕切壁部１１２と正面壁部１１４間に配置された板状をなしている。
【００３０】
図５に示すように、スウェイアーム部１７４においてスウェイ本体部１７２から離間する端部側には、カバー１２０に覆われる上面を、スウェイアーム部１７４の延在方向と直交する方向に切り欠いてなる溝部１７６が形成されている。
【００３１】
この溝部１７６は、スウェイアーム部１７４が最も右側の位置（初期位置）に位置（図１〜図４に示す位置）する場合、案内壁部１１６に形成され、且つ、領域１１０ｂとアーム収容部１１０ｃとを連続させる貫通溝部１１７に連通する。このスウェイアーム部１７４の溝部１７６内には、プッシュ部材１４０がスライド方向と直交する方向に摺動自在に配設される（図４及び図５参照）。すなわち、プッシュ部材１４０は、スウェイスライダ１７０に、スウェイスライダ１７０のスライド方向と直交する方向で、且つハウジング１１０の正面壁部１１４と交差する方向で移動自在に保持される。
【００３２】
プッシュ部材１４０は、所定厚を有する板状をなし、一端部側を、スウェイアーム部１７４から外方に突出させて摘み部１４２としており、他端部側には、貫通溝部１１７内に移動させてスライダ１８０を押圧する押圧部１４４が形成されている。プッシュ部材１４０では、押圧部１４４は、摘み部１４２の左右幅よりも幅広に形成されており、摘み部１４２とでプッシュ部材１４０を逆Ｔ状に形成している。この幅広部分によって、プッシュ部材１４０の押圧部１４４では、スライダ１８０の被押圧面１８１ａに接触する面積が大きくなっている。更に、プッシュ部材１４０では、移動方向と交差する方向に張り出す押圧部１４４の幅広部分によって、プッシュ部材１４０の逆プッシュ方向（−Ｙ方向）への移動が規制され、プッシュ部材１４０自体がスウェイスライダ１７０から抜けることを防止している。
【００３３】
摘み部１４２は、ハウジング１１０における正面壁部１１４のスライド用切り欠き部１１４ａとカバー１２０とによって画成されるスライド用開口部１３２を挿通して外部に突出して配置され、突出する部分でユーザに操作される。
【００３４】
プッシュ部材１４０の押圧部１４４は、スウェイスライダ１７０における溝部１７６の溝本体１７６ａに連続する段差部１７６ｂ内に配置され、プッシュ部材１４０の奥側の面、つまり押圧部１４４の押圧面１４４ａはスウェイアーム部１７４の奥側面と略面一となっている。
【００３５】
摘み部１４２を奥側に押圧することによって、押圧部１４４の押圧面１４４ａは、スウェイアーム部１７４の奥側面から奥側に突出し、プッシュ用固定端子１６２が配置された領域内へ移動する。なお、摘み部１４２の自由端部の裏面には、プッシュ方向、つまり、Ｙ方向に押圧された際にハウジング１１０の正面壁部１１４に係合して、プッシュ方向への移動を規制するプッシュストッパ部１４６が形成されている。これにより、プッシュストッパ部１４６は、摘み部１４２の移動範囲を好適な移動範囲となるように規制する。
【００３６】
プッシュ用固定端子１６２が配置された領域１１０ｂには、プッシュ部材１４０における押圧部１４４の押圧面によって奥側に移動自在なスライダ１８０が配置されている。具体的には、領域１１０ｂのプッシュ用固定端子１６２上のコンタクトドーム１６４上に、絶縁性を有するプレート１６７が配置され、このプレート１６７上にスライダ１８０が、正面側から背面側に移動自在に配置される。
【００３７】
スライダ１８０は、可撓性を有する絶縁材料、ここでは合成樹脂などによって形成されてなり、ハウジング１１０内のプッシュ用固定端子１６２が配置された領域１１０ｂにおいて、仕切壁部１１２と右側壁部１１５との間でこれら壁部１１２、１１５に沿って摺動自在に配設されている。
【００３８】
スライダ１８０は、プッシュ部材１４０に隣接して配置され、正面側の端面がプッシュ部材１４０の押圧面１４４ａに当接する位置から、背面側に移動自在となっている。
【００３９】
図６は、図３のＡ−Ａ線断面図である。
【００４０】
図６に示すように、スライダ１８０は、樹脂などの絶縁材料によって矩形板状に形成され、プッシュ用固定端子１６２上のドームコンタクト１６４（図６で示す断面は板厚となります）上に配置されたプレート１６７上に配置されている。このスライダ１８０では、図５及び図６に示すように、ドームコンタクト１６４の上方に位置する中央部分に、弾性変形して下方に揺動自在な変形舌部１８２が設けられている。変形舌部１８２は、スライダ１８０においてプッシュ部材１４０と対向する面である被押圧面１８１ａ側から背面側に延び出るように形成され、その自由端部である先端部１８２ａには、上面に下方に傾斜するテーパが形成されている。
【００４１】
図６に示すように、プッシュ部材１４０がスライド移動せず、且つ、プッシュされていない位置（初期位置）に配置されている場合では、スライダ１８０の変形舌部１８２は、ドームコンタクト１６４の上部に位置する。
【００４２】
スイッチ本体１３０内におけるスライダ１８０の移動領域には、変形舌部１８２より奥側に離間して、上方のカバー上面部１２１から下方に突出する爪部１２６が配設されている。
【００４３】
爪部１２６は、図６に示すように、ドームコンタクト１６４の上方で、スライダ１８０の変形舌部１８２のテーパに沿って配設されている。ここでは、爪部１２６は、図１、図３、図５及び図６に示すように、ハウジング１１０を覆うカバー１２０の上面部１２１の一部に折曲する等の加工を施して、ドームコンタクト１６４の中央部分より奥側に位置するように形成されている。爪部１２６は、初期位置から奥側に向かってＹ方向に移動するスライダ１８０の変形舌部１８２に上方から当接して、当該変形舌部１８２を下方に押圧する。
【００４４】
これによりスライダ１８０の変形舌部１８２は下方に突出するように変形し、下方に配置されたドームコンタクト１６４を押圧して反転させる。ここでは、爪部１２６は、変形させた変形舌部１８２が、ドームコンタクト１６４の略中央部分を上方から押圧する。このため、ドームコンタクト１６４は、変形舌部１８２の押圧によって効率良く反転する。
【００４５】
このようにスライダ１８０は、ドームコンタクト１６４を反転させることによって、当該ドームコンタクト１６４を、ドームコンタクト１６４の下方に配置されたプッシュ用固定端子１６２に電気的に接続させる。
【００４６】
カバー１２０は、ハウジング１１０に、内部を覆うように上方から被せて取り付けられるものであり、導電性を有する部材によって形成され、外部からの電磁気ノイズ及び静電気ノイズを遮蔽するシールドとして機能する。ここではカバー１２０は金属板を加工して形成されている。
【００４７】
図７は、図３のＢ−Ｂ線断面図である。
【００４８】
図３、図５及び図７に示すように、カバー１２０には、スウェイスライダ１７０のストッパ用係止凹部１７５ａ、１７５ｂと対応する位置に、下方に突出したストッパ片部１２２を有するディテントバネ部１２４が形成されている。このストッパ片部１２２が、ストッパ用係止凹部１７５ａ、１７５ｂに係合することによって、スウェイスライダ１７０を初期位置の状態と、Ｘ方向に移動させた後の移動後の状態で保持する。
【００４９】
ストッパ片部１２２は、カバー１２０の一部を加工して形成したディテントバネ部１２４の中央部に形成され、下方から上方に押圧された際に、ディテントバネ部１２４の弾性変形によって、上方に移動する。このように形成されたストッパ片部１２２は、図７に示すように、スウェイスライダ１７０が初期位置にある際に、ストッパ用係止凹部１７５ａに係合し、スウェイスライダ１７０のＸ方向（左方向）への移動を規制している。
【００５０】
次に、本実施の形態に係るスライドプッシュスイッチ１００の動作について説明する。図８は、本発明の一実施の形態に係るスライドプッシュスイッチ１００においてプッシュ操作してプッシュ部材１４０を押圧した状態を示す図である。更に、図９は、本発明の一実施の形態に係るスライドプッシュスイッチ１００においてスライド操作してプッシュ部材１４０を初期位置から移動させた状態を示す図である。なお、図８及び図９では、図４に示す状態のスライドプッシュスイッチ１００において、それぞれプッシュ操作したり、スライド操作したりした後の状態を示している。よって、図８及び図９では、スライドプッシュスイッチ１００の動作説明の便宜上、図４に示すスライドプッシュスイッチ１００と同様に、ハウジング１１０からカバー１２０を外して、各動作におけるプッシュ部材１４０、スウェイスライダ１７０、スライダ１８０等の構成要素が図示されている。
【００５１】
先ず、プッシュ操作及びスライド操作をしてない初期状態、つまりプッシュ部材１４０が初期位置にある状態のスライドプッシュスイッチ１００は、図４に示す状態である。初期状態のスライドプッシュスイッチ１００では、スウェイスライダ１７０は、スウェイ本体部１７２の一端面（中央部枠部の側面）を仕切壁部１１２に当接させた位置、つまり、ハウジング１１０において最も右側に移動させた位置でハウジング１１０内に配置される。このとき、スウェイスライダ１７０に保持されたプッシュ部材１４０は、その押圧部１４４で、貫通溝部１１７を介して案内壁部１１６から臨むスライダ１８０の正面側の端面である被押圧面１８１ａと対向する位置に位置する。つまり、初期状態におけるスライダ１８０は、スイッチ本体１３０内において下方で、上方に凸型である定常状態のドームコンタクト１６４と、上方の上面部１２１及び爪部１２６とによって動かない状態に保持される。これは、スライダ１８０が、プッシュ方向に押圧されて移動した後の状態で、押圧力が解除された場合、ドームコンタクト１６４の復元力及び爪部１２６の復元力によって正面側に付勢され、被押圧面１８１ａが貫通溝部１１７を介して押圧部１４４に対向する位置に配置されるためである。
【００５２】
スライダ１８０が正面側に位置する状態では、プッシュ用固定端子１６２はドームコンタクト１６４と導通していない。この状態のスライダ１８０の正面側端部１８１は、ハウジング１１０の貫通溝部１１７内に配置され、正面側端部１８１の端面である被押圧面１８１ａは、案内壁部１１６の正面側の側面と略面一となっている。
【００５３】
このように貫通溝部１１７内に配置された正面側端部１８１によって、プッシュ部材１４０の押圧部１４４は、定常状態時において、スウェイスライダ１７０の溝部１７６内に位置し、貫通溝部１１７に突出しないように規制された状態となっている。この状態のプッシュ部材１４０の位置がプッシュ部材１４０の初期位置となる。
【００５４】
また、スウェイ本体部１７２が、スライド用固定端子１５２の配置領域において最も右側に位置しているため、スライド用可動端子１５４は、スライド用固定端子１５２ａ、１５２ｃに当接した状態となっている。
【００５５】
＜プッシュスイッチ機能＞
図４のスライドプッシュスイッチ１００に示すように初期位置にあるプッシュ部材１４０の摘み部１４２をスライドプッシュスイッチ１００自体の奥側、つまりＹ方向に押圧する。ここでは、プッシュ部材１４０は、スライド方向と同一平面上を直交する方向に押圧する。
【００５６】
プッシュ部材１４０が初期位置からスライドプッシュスイッチ１００の奥側に移動することによって、図８に示すように、押圧部１４４が押圧面１４４ａでスライダ１８０の被押圧面１８１ａを押圧し、スライダ１８０自体をスライドプッシュスイッチ１００の奥側に移動させる。スライダ１８０は、仕切壁部１１２、右側壁部１１５、プレート１６７（図５及び図６参照）及びカバー１２０の上面部１２１によって案内されつつ、移動する。
【００５７】
図８に示すように、スライドプッシュスイッチ１００の奥側に移動したスライダ１８０では、変形舌部１８２が、カバー１２０の上面部１２１から突出する爪部１２６（図６参照）によって、下方に押圧されて下方に折曲される。折曲された変形舌部１８２は、ドームコンタクト１６４（図６参照）の略中央部分を押圧して、プッシュ用固定端子１６２（図６参照）に接触する。これによりプッシュ用固定端子１６２（図６参照）と導通する。
【００５８】
また、プッシュ部材１４０を押圧した際に、摘み部１４２の裏面のプッシュストッパ部１４６が、正面壁部１１４におけるスライド用切り欠き部１１４ａの開口縁部に当接する。これにより、プッシュ部材１４０は、スライダ１８０を所定量以上に押圧することがない。したがって、プッシュ部材１４０により押圧されて移動するスライダ１８０の変形舌部１８２が、コンタクトドーム１６４（図５及び図６参照）を好適に反転させて、プッシュ用固定端子部１６２に導通させることができる。
【００５９】
プッシュ部材１４０への押圧操作、つまり、プッシュ操作が解除されると、スライダ１８０は、スライダ１８０自身、爪部１２６（図６参照）及びドームコンタクト１６４（図６参照）のそれぞれの復元力によって初期位置に移動する。よって、スライドプッシュスイッチ１００におけるプッシュスイッチ操作は、プッシュ部材１４０のプッシュ中（図８参照）とプッシュ解除状態（図４参照）とで、オンオフする。
【００６０】
このようにスライドプッシュスイッチ１００では、プッシュ部材１４０のプッシュ操作によって、ドームコンタクト１６４（図６参照）が反転し、また、プッシュ操作の解除によって、図４で示す元の状態に復元する。よって、プッシュ操作のドームコンタクト１６４（図６参照）の反転動作と、プッシュ操作解除におけるドームコンタクト１６４（図６参照）の復元動作によって、ユーザには、クリック感（スイッチの操作感）が付与される。このクリック感によってユーザは、プッシュスイッチとしてのオンオフを直感的に認識できる。
【００６１】
＜スライドスイッチ機能＞
図４に示すスライドプッシュスイッチ１００において、初期位置のプッシュ部材１４０を、左側（Ｘ方向）にスライド操作する。プッシュ部材１４０がスライド方向（Ｘ方向）へ移動すると、プッシュ部材１４０に掛かるＸ方向への負荷によって、スウェイスライダ１７０は、Ｘ方向にスライド移動する。その際に、ストッパ片部１２２（図７参照）は、ストッパ用係止凹部１７５ａ（図７参照）から、スウェイ本体部１７２の正面側枠部１７２ｂの上面を摺動してストッパ用係止凹部１７５ｂ（図７参照）内に移動し、このストッパ用係止凹部１７５ｂに係合する。
【００６２】
スライドプッシュスイッチ１００では、ストッパ片部１２２（図７参照）がストッパ用係止凹部１７５ｂ（図７参照）と係合する際には、ストッパ片部１２２は正面側枠部１７２ｂ側に押圧されているため、ストッパ用係止凹部１７５ｂに付勢された状態で係合する。
【００６３】
また、スウェイスライダ１７０のスライド移動によって、スウェイ本体部１７２のスライド用可動端子１５４は、スライド用固定端子１５２が配設されたベース部１１３上を摺動し、スライド用可動端子１５４の接触子１５４ｂが、スライド用固定端子１５２の接触子１５２ａから離間して接触子１５２ｂ（図４及び図５参照）と接触する。
【００６４】
このようにスライドプッシュスイッチ１００は、スライド操作の際において、ユーザに、プッシュ部材１４０を介してクリック感を付与し、このクリック感によってユーザにプッシュ部材１４０のスライド操作の完了を認識させることができる。
【００６５】
また、左側へのスライド移動後の位置（第２位置とする）に位置するプッシュ部材１４０は、仕切壁部１１２と、当該仕切壁部１１２の正面側で隣接する位置に配置される。すなわち、プッシュ部材１４０は、奥側で仕切壁部１１２と重なる位置に配置され、押圧部１４４は、仕切壁部１１２の正面側の端面１１２ａによって、奥側への移動が規制される。
【００６６】
よって、第２位置に位置したプッシュ部材１４０を押圧してもプッシュスイッチとして機能することがなく、スライド操作中に、プッシュ操作が行われることがなく、スイッチの誤動作を防止できる。
【００６７】
また、第２位置にあるプッシュ部材１４０を初期位置にスライド移動させると、プッシュ部材１４０の移動に伴いスウェイスライダ１７０が右側に移動して、図４に示す状態となる。この第２位置から初期位置への移動の際に、ストッパ片部１２２は、ストッパ用係止凹部１７５ｂから外れて正面側枠部１７２ｂの上面を摺動し、ストッパ用係止凹部１７５ａに係合する。その係合に際し、ストッパ片部１２２（図７参照）は、ディテントバネ部１２４によって正面側枠部１７２ｂに押圧されているため、プッシュ部材１４０を介してユーザにクリック感を付与して、このクリック感によってユーザにプッシュ部材１４０のスライド操作の完了を認識させることができる。
【００６８】
スライドプッシュスイッチ１００では、ハウジング１１０のベース部１１３上を幅方向（Ｘ方向）にスライド移動するスウェイスライダ１７０に、幅方向と直交する方向でベース部１１３に沿ってプッシュ方向（Ｙ方向）に移動するプッシュ部材１４０が保持されている。また、スイッチ本体１３０内には、プッシュ方向（Ｙ方向）に移動するプッシュ部材１４０に押圧されて、ベース部１１３に保持されるドームコンタクト１６４の上面に沿って移動するスライダ１８０が設けられている。スライダ１８０では、スライダ１８０がプッシュ方向（Ｙ方向）に移動した際に、変形舌部１８２が、弾性変形によって下方に屈曲して、ドームコンタクト１６４を押圧して反転させる。これにより、スライドプッシュスイッチ１００では、ドームコンタクト１６４を反転させるスライダ１８０の移動領域を、ドームコンタクト１６４の反転方向（スライドプッシュスイッチの厚み方向）と平行な方向で確保する必要がない。つまり、スライドプッシュスイッチ１００では、プッシュ用固定端子１６２及びドームコンタクト１６４を保持するベース部１１３と、ベース部１１３上で移動するスウェイスライダ１７０とを合わせた厚み内で、プッシュ部材１４０及びスライダ１８０が移動する構成となっている。このため、スライドスイッチ機能と、ドームコンタクト１６４を用いたプッシュスイッチ機能とを有するスライドプッシュスイッチ１００の厚みが薄くなる。
【００６９】
また、スライドプッシュスイッチ１００では、ストッパ用係止凹部１７５ａ、１７５ｂ（図７参照）に係合して、プッシュ部材１４０をスライド操作した際のディテントとして機能するストッパ片部１２２は、スウェイスライダ１７０を覆うカバー１２０自体を加工することによって形成されている。
【００７０】
このため、スライドプッシュスイッチ１００では、薄型、小型化を図ることができるとともに、プッシュ部材１４０をスライド操作した際の操作感を簡易な構成でユーザに付与することができる。本実施の形態におけるスライドプッシュスイッチ１００の各構成要素は、それぞれ上述した機能を有する構成であれば、形状は同様に形成されてもよい。
【００７１】
なお、本実施の形態のスライドプッシュスイッチ１００では、プッシュ部材１４０が初期位置から左方向にスライド移動することによるスライドスイッチとしての機能、及びプッシュ部材１４０が初期位置からプッシュ移動することによるプッシュスイッチとしての機能は、どのようなスイッチの機能としても良い。本実施の形態では、プッシュ部材１４０を左右方向にスライド移動することによって、スライド用固定端子部１５２（図４及び図５参照）とスライド用可動端子部１５４とが電気的に接続又は切断する構成としたが、電気的に接続又は切断する機能が無くてもよい。例えば、初期位置にあるプッシュ部材１４０をプッシュする毎に、スライドプッシュスイッチ１００を備える電子機器における複数の機能モードを変更するようにし、プッシュ部材１４０をスライド移動することによって、そのモードでホールドさせるようにしてもよい。この場合、プッシュ部材１４０を初期位置に戻すと、プッシュ部材１４０はプッシュ可能となり、モード変更を行うことができる。
【００７２】
なお、上記本発明は、本発明の精神を逸脱しない限り、種々の改変をなすことができ、そして本発明が該改変させたものに及ぶことは当然である。
【産業上の利用可能性】
【００７３】
本発明に係るスライドプッシュスイッチは、スライドスイッチとしての機能とプッシュスイッチとしての機能を有し、誤動作することがなく、小型化、薄型化を図ることができ好適な操作感を得ることができる効果を有し、電子機器、特に、携帯型音楽プレーヤ、携帯電話、携帯型ゲーム機等の小型電子機器に使用されるスイッチとして有用である。
【符号の説明】
【００７４】
１００  スライドプッシュスイッチ
１１０  ハウジング
１１２  仕切壁部
１１３  ベース部
１１４  正面壁部
１１５  右側壁部
１１６  案内壁部
１１７  貫通溝部
１２０  カバー
１２１  上面部
１２２  ストッパ片部
１２４  ディテントバネ部
１２６  爪部
１３０  スイッチ本体
１４０  プッシュ部材
１４２  摘み部
１４４  押圧部
１４４ａ  押圧面
１５２  スライド用固定端子
１５４  スライド用可動端子
１６２  プッシュ用固定端子
１６４  ドームコンタクト
１７０  スウェイスライダ
１７２  スウェイ本体部
１７４  スウェイアーム部
１７５ａ、１７５ｂ  ストッパ用係止凹部
１７６  溝部
１８０  スライダ
１８２  変形舌部
１８２ａ  先端部
【図１】
2010165526.tif 000003
【図２】
2010165526.tif 000004
【図３】
2010165526.tif 000005
【図４】
2010165526.tif 000006
【図５】
2010165526.tif 000007
【図６】
2010165526.tif 000008
【図７】
2010165526.tif 000009
【図８】
2010165526.tif 000010
【図９】
2010165526.tif 000011